(57)【要約】【課題】長寿命化を図り、１段目の荷重特性と２段目の荷重特性の自由度を大きくし、プリント配線基板（１０）への実装面積を小さくすること。【解決手段】２段動作プッシュスイッチのタクト板をタクト板収容凹部１３内に並列に配置された第１、第２タクト板６、７で形成し、動作荷重Ｐ１（Ｐ２），がかかる押圧点Ｋ１（Ｋ２）を支点としたときのキートップ８のモーメントのつり合い時における操作部８２への動作荷重をＰ３（Ｐ４）としたときにＰ３≠Ｐ４が成立する位置に操作部８２を形成する。例えば、第１、第２タクト板６，７の荷重特性を等しくして操作部８２の形成位置を中心の垂直軸８５（２０）からずらす。このため、操作部８２への１段目の押圧で第１タクト板６が反転して１段目の接続が行われ、操作部８２への２段目の押圧で第２タクト板７が反転して２段目の接続が行われる。【選択図】　図１
2004146095.tif 000002
【特許請求の範囲】
【請求項１】
ハウジング（１）にタクト板を収容するタクト板収容凹部（１３）を形成し、ハウジング（１）に固定した第１、第２、第３端子（３）、（４）、（５）の接触部（３１）、（４１）、（５１）をタクト板収容凹部（１３）の内底面に露出させ、キートップ（８）の操作部（８２）への押圧でタクト板を弾性変形させることによって２段階の接続をする２段動作プッシュスイッチであって、前記タクト板を、タクト板収容凹部（１３）内に並列に配置されて、それぞれの中央部がタクト板収容凹部（１３）の内底面から離れる方向に膨出したドーム状の第１、第２タクト板（６）、（７）で形成し、第１タクト板（６）の中央部、周辺部を第１、第３端子（３）、（５）の接触部（３１）、（５１）に臨設し、第２タクト板（７）の周辺部、中央部を第３、第２端子（５）、（４）の接触部（５１）、（４１）に臨設し、キートップ（８）は操作部（８２）への押圧に基づき第１、第２タクト板（６）、（７）のそれぞれの中央部を押圧して反転させる第１、第２押圧部（８３）、（８４）を具備し、第１、第２押圧部（８３）、（８４）の第１、第２タクト板（６）、（７）への押圧点Ｋ１、Ｋ２のそれぞれを支点としたキートップ（８）のモーメントのつり合い時における操作部（８２）への動作荷重をＰ３，Ｐ４としたときに、Ｐ３≠Ｐ４が成立する位置に操作部（８２）を形成し、操作部（８２）への１段目の押圧で第１、第２タクト板（６）、（７）の一方の中央部を反転させて１段目の接続を行い、操作部（８２）への２段目の押圧で第１、第２タクト板（６）、（７）の他方の中央部も反転させて２段目の接続を行うことを特徴とする２段動作プッシュスイッチ。
【請求項２】
第１、第２タクト板（６）、（７）の荷重特性を等しく形成し、動作荷重Ｐ３，Ｐ４の力点を押圧点Ｋ１、Ｋ２間の中点に対応する位置からずらしたことを特徴とする請求項１記載の２段動作プッシュスイッチ。
【請求項３】
第１、第２タクト板（６）、（７）の荷重特性を異ならせて形成し、動作荷重Ｐ３，Ｐ４の力点を押圧点Ｋ１、Ｋ２間の中点に対応する位置としたことを特徴とする請求項１記載の２段動作プッシュスイッチ。
【請求項４】
第１、第２タクト板（６）、（７）の荷重特性を異ならせて形成し、動作荷重Ｐ３，Ｐ４の力点を押圧点Ｋ１、Ｋ２間の中点に対応する位置からずらしたことを特徴とする請求項１記載の２段動作プッシュスイッチ。
【請求項５】
第１、第２、第３端子（３）、（４）、（５）の接続部（３３）、（４３）、（５３）は、キートップ（８）の操作部（８２）の押圧方向とほぼ同一方向に向かってハウジング（１）から並列に突設されていることを特徴とする請求項１，２，３又は４記載の２段動作プッシュスイッチ。
【請求項６】
ハウジング（１）は、プリント配線基板（１０）の切欠部（１０ａ）への実装時に切欠部（１０ａ）の端縁近辺の基板面に当接するストッパ（２５）、（２５）を具備したことを特徴とする請求項５記載の２段動作プッシュスイッチ。
【請求項７】
プリント配線基板（１１０）上に並列に実装された第１、第２プッシュスイッチ（１３０）、（１４０）と、この第１、第２プッシュスイッチ（１３０）、（１４０）の第１、第２キートップ（１３２）、（１４２）側に臨設されたキートップ（１５０）とを具備し、第１、第２プッシュスイッチ（１３０）、（１４０）は対応する第１、第２タクト板（１３３）、（１４３）を具備し、第１、第２タクト板（１３３）、（１４３）は中央部が対応する第１、第２キートップ（１３２）、（１４２）側へ膨出したドーム状に形成され、キートップ（１５０）は、一側に突設された操作部（１５２）と他側に突設された第１、第２押圧部（１５３）、（１５４）とを具備し、操作部（１５２）の押圧に基づき第１、第２押圧部（１５３）（１５４）が第１、第２キートップ（１３２）、（１４２）を押圧することによって、第１、第２タクト板（１３３）、（１４３）の一方の反転による１段目の接続と、これに続く他方の反転による２段目の接続との２段階の接続をする２段動作プッシュスイッチであって、第１、第２押圧部（１５３）、（１５４）の第１、第２キートップ（１３２）、（１４２）への押圧点Ｋ１、Ｋ２のそれぞれを支点としたキートップ（１５０）のモーメントのつり合い時における操作部（１５２）への動作荷重をＰ３、Ｐ４としたときに、Ｐ３≠Ｐ４が成立する位置に操作部（１５２）を形成したことを特徴とする２段動作プッシュスイッチ。
【請求項８】
第１、第２タクト板（１３３）、（１４３）の荷重特性を等しく形成し、動作荷重Ｐ３，Ｐ４の力点を押圧点Ｋ１、Ｋ２間の中点に対応する位置からずらしたことを特徴とする請求項７記載の２段動作プッシュスイッチ。
【請求項９】
第１、第２タクト板（１３３）、（１４３）の荷重特性を異ならせて形成し、動作荷重Ｐ３，Ｐ４の力点を押圧点Ｋ１、Ｋ２間の中点に対応する位置としたことを特徴とする請求項７記載の２段動作プッシュスイッチ。
【請求項１０】
第１、第２タクト板（１３３）、（１４３）の荷重特性を異ならせて形成し、動作荷重Ｐ３，Ｐ４の力点を押圧点Ｋ１、Ｋ２間の中点に対応する位置からずらしたことを特徴とする請求項７記載の２段動作プッシュスイッチ。
【請求項１１】
第１、第２プッシュスイッチ（１３０）、（１４０）は、対応する第１、第２キートップ（１３２）、（１４２）の押圧方向がプリント配線基板（１１０）の基板面と平行となるように、プリント配線基板（１１０）上に並列に実装されていることを特徴とする請求項７，８，９又は１０記載の２段動作プッシュスイッチ。
【発明の詳細な説明】
【０００１】
【発明の属する技術分野】
本発明は、カメラ、電子機器（例えば携帯電話機）などに使用される２段動作プッシュスイッチに関するものである。例えばカメラ付き携帯電話機のカメラのシャッターに使用される２段動作プッシュスイッチに関するものである。
【０００２】
【従来の技術】
従来の２段動作プッシュスイッチには、図１３〜図１９に示すようなものが知られている。
すなわち、ハウジング２００にタクト板２４０を収容するタクト板収容凹部２０１を形成し、ハウジング２００の底板に第１、第２、第３端子２１０、２２０、２３０を固着し、第１、第２、第３端子２１０、２２０、２３０の接続部２１２，２１２、２２２、２３２をハウジング２００の外へ突出させる。
タクト板収容凹部２０１の開口面をカバー２５０で覆い、カバー２５０の中央部に穿設されたキートップ用孔２５１からキートップ２６０の操作部を外部へ突出させ、カバー２５０の側面に形成された係止ばね部２５２〜２５２をハウジング２００の外側面に突設された係止突起２０３〜２０３に係止して、カバー２５０をハウジング２００に固定する。
【０００３】
タクト板２４０は、図１９に示すように、ドーム状の中央接触部２４１と、中央接触部２４１の外周側に半円弧孔２４２、２４２で隔てられるとともに連結部２４３、２４３で連結された環状部２４４と、環状部２４４の外周側の対向する位置に突設された水平矩形板状の周辺接触部２４５、２４５とを具備し、環状部２４４は外周側が下方へ傾斜した形状に形成され、環状部２４４の円周方向に沿って等間隔に、中心角度で９０°の位置に絞り部２４６〜２４６が形成されている。
タクト板２４０は、初期状態では、図１６、図１７に示すように、ハウジング２００の底板内面とキートップ２６０の下面との間に若干弾性変形した状態でタクト板収容凹部２０１内に収容され、周辺接触部２４５、２４５が第１端子２１０の接触部２１１、２１１に接触している。
【０００４】
そして、キートップ２６０を押し下げると、キートップ２６０の押圧突起がタクト板２４０の中央接触部２４１を押し込んで環状部２４４を反転させる。この変形を１段目の変形とすると、この変形によって中央接触部２４１の周辺部が第２端子２２０の接触部２２１、２２１に接触し、第１、第２端子２１０、２２０間を電気的に接続する。
ついで、キートップ２６０をさらに押し下げると、キートップ２６０の押圧突起がタクト板２４０の中央接触部２４１をさらに押し込んで変形が進む。この変形を２段目の変形とすると、この変形によって中央接触部２４１の中心部が第３端子２３０の接触部２３１に接触し、第１、第２、第３端子２１０、２２０、２３０間を電気的に接続する。
【０００５】
【発明が解決しようとする課題】
しかしながら、図１３〜図１９に示した従来例では、１つのタクト板２４０で２段階の接続を行っていたので、タクト板２４０の連結部２４３、２４３に過度のストレス（応力）がかかり、少ない動作回数でタクト板２４０が破損するという問題点があった。
例えば、タクト板２４０の１段目の変形では、曲げ加工で形成された環状部２４４が反転し、タクト板２４０の２段目の変形では、絞り加工で形成された中央接触部２４１が反転するので、両者の境目の連結部２４３、２４３に応力集中で割れが生じ易いという問題点があった。
また、１つのタクト板２４０で２段階の接続を行っていたので、１段目の荷重特性と２段目の荷重特性の自由度が小さく、荷重特性のバリエーションを広げることができないという問題点があった。
例えば、１段目の荷重特性を所望の特性に合わせたときに、その影響が２段目の荷重特性に及ぶため、２段目の荷重特性の自由度が小さく、所望の特性が得にくいという問題点があった。
【０００６】
本出願人は、上述の問題点を解決するために、図２０〜図２７に示すような２段動作プッシュスイッチを提案した（特願２００２ー１８６８３０）。
すなわち、ハウジング３００にタクト板収容凹部３０１を形成し、ハウジング３００に固定した第１、第２、第３端子３１０、３２０、３３０の接触部３１１、３１１、３２１、３２１、３３１をタクト板収容凹部３０１の内底面の外側周辺部、内側周辺部、中央部に露出させ、第１、第２、第３端子３１０、３２０、３３０の接続部３１２、３１２、３２２、３３２をハウジング３００の外へ突出させる。
タクト板収容凹部３０１の開口面をカバー３４０で覆い、カバー３４０の中央部に穿設されたキートップ用孔３４１からキートップ３５０の操作部を外部へ突出させ、カバー３４０の側面に形成された係止ばね部３４２〜３４２をハウジング３００の外側面に突設された係止突起３０３〜３０３に係止して、カバー３４０をハウジング３００に固定する。
【０００７】
タクト板収容凹部３０１に収容するタクト板をタクト板収容凹部３０１内で上下に離して配置された第１、第２タクト板３６０，３７０で形成する。
第１タクト板３６０を図２５〜図２７に示すように、長方形板状の中央接触部３６１と、この中央接触部３６１の外周側にほぼ半円状の孔３６２，３６２で隔てられるとともに帯状の連結部３６３、３６３で連結された環状部３６４と、この環状部３６４の外周側の対向する位置に突設された周辺接触部３６５，３６５とで形成する。中央接触部３６１の中央部には、下方へ膨出した凸部３６６を形成し、長手方向の端縁には、補強用の立ち上げ片３６７，３６７を形成する。環状部３６４には、円周方向に沿って等間隔に絞り部３６８〜３６８を形成する。第２タクト板３７０は、図２２に示すようにタクト板収容凹部３０１内に２枚重ねて収容されるもので、中央部を上方へ膨出したドーム状に形成する。
【０００８】
そして、キートップ３５０を押し下げると、キートップ３５０の押圧部が第１タクト板３６０の中央接触部３６１を押し込んで連結部３６３，３６３を反転させるとともに環状部３６４を弾性変形させる。この変形を１段目の変形とすると、この変形によって第１タクト板３６０の凸部３６６が第２タクト板３７０の中央部に接触し、第１、第２端子３１０、３２０間が電気的に接続する。
ついで、キートップ３５０をさらに押し下げると、第１タクト板３６０の凸部３６６が第２タクト板３７０の中央部を押し込んで第２タクト板３７０を反転させる。この変形を２段目の変形とすると、この変形によって第２タクト板３７０の中央部が第３端子３３０の接触部３３１に接触し、第１、第２、第３端子３１０，３２０，３３０間が電気的に接続する。
このようにタクト板を第１、第２タクト板３６０，３７０の２つとし、第１、第２タクト板３６０，３７０のそれぞれに過度のストレスが生じないようにしたので、タクト板が１つの従来例と比べて長寿命化を図ることができるとともに、１段目の荷重特性と２段目の荷重特性の自由度を大きくして２段動作プッシュスイッチとしての荷重特性のバリエーションを広げることができた。
【０００９】
しかしながら、図２０〜図２７に示した提案例では、第１タクト板３６０の外形寸法が大きくなるので、プリント配線基板への実装面積が大きくなるという問題点があった。
例えば、第１タクト板３６０の環状部３６４の外径を５．５ｍｍ、第２タクト板３７０の外径を２．３ｍｍとしたときのハウジング３００の外形寸法は、図２０の平面図において縦７．８ｍｍ、横５．７ｍｍになっていた。
また、図１３〜図１９に示した従来例でも、１つのタクト板２４０で２段階の接続動作を行うため、タクト板２４０の外形寸法が大きくなり、プリント配線基板への実装面積が大きくなるという問題点があった。
【００１０】
本発明は上述の問題点に鑑みなされたもので、長寿命化を図るとともに１段目と２段目の荷重特性の自由度を大きくし、さらにプリント配線基板への実装面積を小さくすることのできる２段動作プッシュスイッチを提供することを目的とするものである。
【００１１】
【課題を解決するための手段】
請求項１記載の発明は、ハウジング（１）にタクト板を収容するタクト板収容凹部（１３）を形成し、ハウジング（１）に固定した第１、第２、第３端子（３）、（４）、（５）の接触部（３１）、（４１）、（５１）をタクト板収容凹部（１３）の内底面に露出させ、キートップ（８）の操作部（８２）への押圧でタクト板を弾性変形させることによって２段階の接続をする２段動作プッシュスイッチであって、前記タクト板を、タクト板収容凹部（１３）内に並列に配置されて、それぞれの中央部がタクト板収容凹部（１３）の内底面から離れる方向に膨出したドーム状の第１、第２タクト板（６）、（７）で形成し、第１タクト板（６）の中央部、周辺部を第１、第３端子（３）、（５）の接触部（３１）、（５１）に臨設し、第２タクト板（７）の周辺部、中央部を第３、第２端子（５）、（４）の接触部（５１）、（４１）に臨設し、キートップ（８）は、操作部（８２）への押圧に基づき第１、第２タクト板（６）、（７）のそれぞれの中央部を押圧して反転させる第１、第２押圧部（８３）、（８４）を具備し、第１、第２押圧部（８３）、（８４）の第１、第２タクト板（６）、（７）への押圧点Ｋ１，Ｋ２のそれぞれを支点としたキートップ（８）のモーメントのつり合い時における操作部（８２）への動作荷重をＰ３，Ｐ４としたときに、Ｐ３≠Ｐ４が成立する位置に操作部（８２）を形成し、操作部（８２）への１段目の押圧で第１、第２タクト板（６）、（７）の一方の中央部を反転させて１段目の接続を行い、操作部（８２）への２段目の押圧で第１、第２タクト板（６）、（７）の他方の中央部も反転させて２段目の接続を行うことを特徴とするものである。
【００１２】
上述の構成において、キートップ（８）の操作部（８２）への押圧に基づきキートップ（８）の第１、第２押圧部（８３）、（８４）が第１、第２タクト板（６）、（７）のそれぞれの中央部を順次押圧して反転させる。
すなわち、操作部（８２）がＰ３≠Ｐ４の成立するキートップ（８）上の位置に形成されているので、操作部（８２）への１段目の押圧で第１、第２タクト板（６）、（７）の一方の中央部を反転させて接触部（３１）、（４１）、（５１）のうちの対応する２つと接触させる。１段目の接続が行われ、操作部（８２）への２段目の押圧で第１、第２タクト板（６）、（７）の他方の中央部も反転させて接触部（３１）、（４１）、（５１）の全てと接触させる２段目の接続が行われる。
【００１３】
請求項２記載の発明は、請求項１記載の発明において、第１、第２タクト板（６）、（７）の構成を簡単にするために、第１、第２タクト板（６）、（７）の荷重特性を等しく形成し、動作荷重Ｐ３，Ｐ４の力点を押圧点Ｋ１、Ｋ２間の中点に対応する位置からずらしたことを特徴とするものである。
【００１４】
請求項３記載の発明は、請求項１記載の発明において、操作部（８２）の形成位置を簡単に決めるために、第１、第２タクト板（６）、（７）の荷重特性を異ならせて形成し、動作荷重Ｐ３，Ｐ４の力点を押圧点Ｋ１、Ｋ２間の中点に対応する位置としたことを特徴とするものである。
【００１５】
請求項４記載の発明は、請求項１記載の発明において、１段目と２段目の荷重特性（例えばクリック感）の自由度をより大きくするために、第１、第２タクト板（６）、（７）の荷重特性を異ならせて形成し、動作荷重Ｐ３，Ｐ４の力点を押圧点Ｋ１、Ｋ２間の中点に対応する位置からずらしたことを特徴とするものである。
【００１６】
請求項５記載の発明は、請求項１、２，３又は４記載の発明において、　キートップ（８）の操作部（８２）の押圧方向を基板面に対して平行な横置きにしてハウジング（１）をプリント配線基板（１０）に実装するために、第１、第２、第３端子（３）、（４）、（５）の接続部（３３）、（４３）、（５３）は、キートップ（８）の操作部（８２）の押圧方向とほぼ同一方向に向かってハウジング（１）から並列に突設されていることを特徴とするものである。
【００１７】
請求項６記載の発明は、請求項５記載の発明において、ハウジング（１）のプリント配線基板（１０）の端縁から突出長を小さくするとともに、ハウジング（１）をプリント配線基板（１０）の切欠部（１０ａ）に容易に実装可能とするために、ハウジング（１）は、プリント配線基板（１０）の切欠部（１０ａ）への実装時に切欠部（１０ａ）の端縁近辺の基板面に当接するストッパ（２５）、（２５）を具備したことを特徴とするものである。
【００１８】
請求項７記載の発明は、プリント配線基板（１１０）上に並列に実装された第１、第２プッシュスイッチ（１３０）、（１４０）と、この第１、第２プッシュスイッチ（１３０）、（１４０）の第１、第２キートップ（１３２）、（１４２）側に臨設されたキートップ（１５０）とを具備し、第１、第２プッシュスイッチ（１３０）、（１４０）は対応する第１、第２タクト板（１３３）、（１４３）を具備し、第１、第２タクト板（１３３）、（１４３）は中央部が対応する第１、第２キートップ（１３２）、（１４２）側へ膨出したドーム状に形成され、キートップ（１５０）は、一側に突設された操作部（１５２）と他側に突設された第１、第２押圧部（１５３）、（１５４）とを具備し、操作部（１５２）の押圧に基づき第１、第２押圧部（１５３）、（１５４）が第１、第２キートップ（１３２）、（１４２）を押圧することによって、第１、第２タクト板（１３３）、（１４３）の一方の反転による１段目の接続と、これに続く他方の反転による２段目の接続との２段階の接続をする２段動作プッシュスイッチであって、第１、第２押圧部（１５３）、（１５４）の第１、第２キートップ（１３２）、（１４２）への押圧点Ｋ１，Ｋ２のそれぞれを支点としたキートップ（１５０）のモーメントのつり合い時における操作部（１５２）への動作荷重をＰ３、Ｐ４としたときに、Ｐ３≠Ｐ４が成立する位置に操作部（１５２）を形成したことを特徴とするものである。
【００１９】
上述の構成において、キートップ（１５０）の操作部（１５２）への押圧に基づきキートップ（１５０）の第１、第２押圧部（１５３）、（１５４）が第１、第２プッシュスイッチ（１３０）、（１４０）の第１、第２キートップ（１３２）、（１４２）を押圧することによって、第１、第２プッシュスイッチ（１３０）、（１４０）の第１、第２タクト板（１３３）、（１４３）のそれぞれの中央部を順次反転させる。
すなわち、操作部（１５２）がＰ３≠Ｐ４が成立するキートップ（１５０）上の位置に形成されているので、操作部（１５２）への１段目の押圧で第１、第２タクト板（１３３）、（１４３）の一方の中央部を反転させる１段目の接続が行われ、操作部（１５２）への２段目の押圧で第１、第２タクト板（１３３）、（１４３）の他方の中央部も反転させる２段目の接続が行われる。
【００２０】
請求項８記載の発明は、請求項７記載の発明において、第１、第２プッシュスイッチ（１３０）、（１４０）の構成を簡単にするために、第１、第２タクト板（１３３）、（１４３）の荷重特性を等しく形成し、動作荷重Ｐ３，Ｐ４の力点を押圧点Ｋ１、Ｋ２間の中点に対応する位置からずらしたことを特徴とするものである。
【００２１】
請求項９記載の発明は、請求項７記載の発明において、キートップ（１５０）に形成される操作部（１５２）の形成位置を簡単に決めるために、第１、第２タクト板（１３３）、（１４３）の荷重特性を異ならせて形成し、動作荷重Ｐ３，Ｐ４の力点を押圧点Ｋ１、Ｋ２間の中点に対応する位置としたことを特徴とするものである。
【００２２】
請求項１０記載の発明は、請求項７記載の発明において、１段目と２段目の荷重特性（例えばクリック感）の自由度をより大きくするために、第１、第２タクト板（１３３）、（１４３）の荷重特性を異ならせて形成し、動作荷重Ｐ３，Ｐ４の力点を押圧点Ｋ１、Ｋ２間の中点に対応する位置からずらしたことを特徴とものである。
【００２３】
請求項１１記載の発明は、請求項７，８，９又は１０記載の発明において、キートップ（１５０）の操作部（１５２）の押圧方向を基板面に平行な横置きにして第１、第２プッシュスイッチ（１３０）、（１４０）をプリント配線基板（１０）に実装可能とするために、第１、第２プッシュスイッチ（１３０）、（１４０）は、対応する第１、第２キートップ（１３２）、（１４２）の押圧方向がプリント配線基板（１１０）の基板面と平行となるように、プリント配線基板（１１０）上に並列に実装されていることを特徴とするものである。
【００２４】
【発明の実施の形態】
以下本発明の一実施形態例を図１〜図１２を用いて説明する。
まず、第１発明の一実施形態例を図１〜図１０を用いて説明する。
図１〜図４は全体の構成を示すもので、これらの図において、３、４、５は第１、第２、第３端子、６は第１タクト板、７は第２タクト板、８はキートップ、９はカバー、１０はプリント配線基板である。
【００２５】
ハウジング１は絶縁性の合成樹脂でほぼ直方体状に成形されたもので、図５〜図８に示すように、長方形状の底板１１と、この底板１１の外周辺から一体に直立して包囲する側板１２とを具備し、底板１１と側板１２によって上方を開口したタクト板収容凹部１３が形成され、このタクト板収容凹部１３は開口側からみて長円形状に形成されている。
タクト板収容凹部１３は、第１、第２タクト板６，７のそれぞれを収容する第１、第２収容凹部１４，１５と、両者を連通する連通凹部１６とからなっている。
【００２６】
第１収容凹部１４の内底面は、円形状の中央部と、この中央部の周辺に連続する環状の周辺部とを具備し、中央部は周辺部に対して表面の高さが若干低く形成され、周辺部の一部であって連通凹部１６と対向する側には、（図５では左側）には、第１タクト板６の周辺部に当接する第１段部１７が形成されている。
第２収容凹部１５の内底面は、第１収容凹部１４の内底面と同様の中央部と周辺部を具備し、周辺部の一部であって連通凹部１６と対向する側（図５では右側）には、第２タクト板７の周辺部に当接する第２段部１８が形成されている。
連通凹部１６の内底面は、ほぼ正方形状の中央部と、この中央部の対向する対辺（図５では上辺と下辺）に連続する台形状の周辺部とを具備し、中央部は第１，第２収容凹部１４，１５の周辺部と同一高さに形成され、周辺部は中央部に対して表面の高さが若干高く形成されている。
連通凹部１６の中心を通る底板１１の板面に垂直な軸を２０とし、第１，第２収容凹部１４，１５の中心を通る底板１１の板面の垂直な軸を２１，２２とすると、垂直軸２１，２０間と垂直軸２０，２２間の間隔が等しく形成されている。
【００２７】
ハウジング１の側板１２の外側面には、カバー９を係止する係止突起２４〜２４と、プリント配線基板１０の切欠部１０ａへの実装時に抜け止めとなるストッパ２５，２５とが形成されている。
ハウジング１の底板１１には、第１，第２，第３端子３，４，５がハウジング１の成型時に一体に設けられている。例えば、導電性金属板のプレス成形で形成された第１、第２、第３端子３、４、５を金型内に配置し、樹脂の注入、固化によって一体成型される。　このとき、第３端子５の一端側には接触部５１が形成され、他端側には露出部５２を介して接続部５３が形成されている。
接触部５１は、その中心が垂直軸２０と一致するとともに、連通凹部１６の内底面の中央部において周辺の内底面から露出し、その上面が第１、第２段部１７、１８の上面とほぼ同一高さに形成されている。
露出部５２は、底板１１の一方の長辺の中点近傍から外部へ露出し、底板１１の外側面に沿って折り曲げられるとともに、底板１１の外側面のほぼ中央部まで底板１１の短辺とほぼ平行に配置されている。
接続部５３は、露出部５２の先端部から底板１１の外側面にほぼ垂直に外側へ突設されている。
また、第１，第２端子３，４の一端側には接触部３１，４１が形成され、他端側には露出部３２，４２を介して接続部３３，４３が形成されている。
接触部３１，４１は、その中心が垂直軸２１、２２と一致するとともに、第１、第２収容凹部１４，１５の内底面の中央部において周辺の内定面から露出し、その上面が周辺部の上面より若干高く、かつ第１、第２段部１７、１８の上面より若干低く形成されている。
露出部３２，４２は、底板１１の一方の長辺の両端近傍から外部へ露出し、底板１１の外側面に沿って折り曲げられるとともに、第３端子５の露出部５２とほぼ平行に配設されている。
接続部３３，４３は、露出部３２，４２の先端部から底板１１の外側面にほぼ垂直に外側へ突設されている。
【００２８】
第１タクト板６は、弾性を有する導電性金属板の打ち抜き、絞り加工で形成されて第１収容凹部１４内に収容されるもので、図１に示すように、中央部を第１収容凹部１４の内底面から離れる方向へ膨出した円板状（すなわちドーム状）に形成されている。
第２タクト板７は、弾性を有する導電性金属板の打ち抜き、絞り加工で形成されて第２収容凹部１５内に収容されるもので、第１タクト板６と同様の円板状に形成されている。
【００２９】
キートップ８は、第１、第２タクト板６、７を押圧して２段階に弾性変形させるためのもので、図９に示すように、長円板状の本体部８１と、この本体部８１の上面側に突設されたほぼ円柱状の操作部８２と、本体部８１の下面側に突設されたほぼ円柱状の押圧部８３，８４とを具備している。
本体部８１の中心を通る本体部８１の板面に垂直な軸を８５、第１、第２押圧部８３，８４の中心を通る本体部８１の板面に垂直な軸を８６，８７、操作部８２の中心を通る本体部８１の板面に垂直な軸を８８とすると、垂直軸８６，８５間と垂直軸８５，８７間の間隔が等しく形成され、垂直軸８８は垂直軸８６，８５間に位置するように形成されている。
【００３０】
カバー９は、タクト板収容凹部１３の開口部を覆ってハウジング１に固定されるもので、図１０に示すように、外縁がハウジング１の外縁とほぼ同一の長方形状に形成され、中央部には、キートップ８の操作部８２を上下動可能に突出させるためのキートップ用孔９１が形成され、外周部には、ハウジング１の係止突起２４〜２４に圧入して係止する係止ばね部９２〜９２が形成されている。
【００３１】
つぎに、２段動作プッシュスイッチの組み立てについて説明する。
（１）ハウジング１の成型時において、ハウジング１の底板１１には、図５〜図８に示すように、第１，第２，第３端子３，４，５が一体成型で形成される。
【００３２】
（２）ついで、ハウジング１のタクト板収容凹部１３内の所定位置に第１，第２タクト板６，７を収容する。すなわち、第１収容凹部１４内に第１タクト板６を、第２収容凹部１５内に第２タクト板７をぞれぞれ収容する。
このとき、第１タクト板６の中央部の中心を通る垂直軸を第１収容凹部１４の垂直軸２１と一致させ、第２タクト板７の中央部の中心を通る垂直軸を第２収容凹部１５の垂直軸２２と一致させる。また、第１タクト板６の周辺部の一部は、第１段部１７と第３端子５の接触部５１に当接し、第１タクト板６の中央部は第１端子３の接触部３１に所定間隔をもって臨設し、第２タクト板７の周辺部の一部は、第２段部１８と第３端子５の接触部５１に当接し、第２タクト板７の中央部は、第２端子４の接触部４１に所定間隔をもって臨設している。
【００３３】
（３）ついで、キートップ８の本体部８１をハウジング１のタクト板収容凹部１３内に収容し、その上からカバー９を被せてキートップ用孔９１から操作部８２を突出させ、カバー９の係止ばね部９２〜９２をハウジング１の係止突起２４〜２４に圧入して係止し、図１〜図４に示すような組み立てを完了する。このキートップ８のタクト板収容凹部１３内への収容時には、本体部８１の垂直軸８５，８６，８７のそれぞれを、ハウジング１の垂直軸２０，２１，２２のそれぞれに一致させて収容する。
上述の組み立て完了状態では、第１、第２タクト板６、７は、その中央部がキートップ８の第１、第２押圧部８３，８４に押圧されて若干弾性変形した状態で第１、第２収容凹部１４，１５内に収容され、図１（ａ）に示すように周辺部の一部を第３端子５の接触部５１に常時接触させた状態になっている。
なお、この組み立て完了状態において、キートップ８の第１、第２押圧部８３，８４が第１、第２タクト板６，７の中央部に単に当接するか又は緩衝材を介して当接するかして第１，第２タクト板６，７が弾性変形せずに、第１，第２タクト板６，７の周辺部の一部が第３端子５の接触部５１に接触するか又は接触しない状態であってもよい。この場合、キートップ８の操作部８２への１段目の押圧で第１タクト板６の中央部、周辺部が第１、第３端子３，５の接触部３１，５１に接触し、操作部８２への２段目の押圧で第２タクト板７の中央部、周辺部が第２、第３端子４，５の接触部４１，５１に接触するように構成する必要がある。
【００３４】
（４）上述のように組み立てられた２段動作プッシュスイッチは、図１（ｂ）、（ｃ）、図２〜図４に示すように、プリント配線基板１０の切欠部１０ａに実装された後、第１、第２、第３端子３，４，５の接続部３３，４３，５３がプリント配線基板１０上の対応するランドに半田接続され、配線パターンと電気的に接続される。このとき、キートップ８の操作部８２の押圧方向は、プリント配線基板１０の基板面に対して平行になる。すなわち、２段動作プッシュスイッチは横置きタイプとなる。
また、プリント配線基板１０への実装時において、ハウジング１のストッパ２５，２５がプリント配線基板１０の切欠部１０ａの端縁近辺の基板面に当接して抜け止めとなるので、プリント配線基板１０への実装が容易となる。
【００３５】
つぎに、前記実施形態例の作用を説明する。
説明の便宜上、図１（ａ）に示すように、第１、第２タクト板６，７の動作荷重（押圧荷重）をＰ１，Ｐ２とし、垂直軸８６，８５間と垂直軸８５，８７間の間隔をＬ、垂直軸８８，８５間の間隔をＭ（Ｍ＜Ｌ）とし、第１、第２押圧部８３，８４の第１，第２タクト板６，７への押圧点をＫ１，Ｋ２とする。
【００３６】
（１）押圧点Ｋ１を支点としたときの、キートップ８のモーメントのつり合い時における操作部８２への動作荷重ＰをＰ３とすると、次式（１）が成立する。
Ｐ３＝（２Ｌ×Ｐ２）／（Ｌ−Ｍ）・・・（１）
押圧点Ｋ２を支点としたときの、キートップ８のモーメントのつり合い時における操作部８２への動作荷重ＰをＰ４とすると、次式（２）が成立する。
Ｐ４＝（２Ｌ×Ｐ１）／（Ｌ＋Ｍ）・・・（２）
【００３７】
（２）第１タクト板６と第２タクト板７は、その荷重特性が同一に形成されているので、Ｐ１＝Ｐ２となり、式（１）、（２）からＰ３＞Ｐ４となる。
Ｐ３は第２タクト板７を反転させる作動力に相当し、Ｐ４は第１タクト板６を反転させる作動力に相当するので、キートップ８の操作部８２を押圧すると、まず第１押圧部８３が第１タクト板６の中央部を押圧し、第１タクト板６を反転してクリック感を生じさせ、第１タクト板６の中央部が第１端子３の接触部３１と接触する。このため、第１，第３端子３，５間が電気的に接続し１段目の接続が行われる。
ついで、キートップ８の操作部８２をさらに押圧すると、第２押圧部８４が第２タクト板７の中央部を押圧し、第２タクト板７を反転してクリック感を生じさせ、第２タクト板７の中央部が第２端子４の接触部４１と接触する。このため、第２，第３端子３，４，５間も電気的に接続し、２段目の接続が行われる。
【００３８】
（３）キートップ８の操作部８２への押圧を解除すると、第１、第２タクト板６、７の自らの復元力でキートップ８を押し上げ、第１、第２タクト板６、７の中央部が第１、第２端子３，４の接触部３１，４１から離れて電気的に非接続となり、図１（ａ）に示すような初期状態に戻る。
【００３９】
前記実施形態例では、ハウジング１をプリント配線基板１０の切欠部１０ａに容易に実装可能とするために、ハウジング１にストッパ２５，２５を形成し、このストッパ２５，２５をハウジング１の実装時に切欠部１０ａの端縁近辺の基板面に当接させる構成としたが、本発明はこれに限るものでなく、ストッパ２５，２５を省略し、切欠部１０ａのないプリント配線基板１０に実装する場合についても利用することができる。
【００４０】
前記実施形態例では、第１、第２，第３端子３、４、５の接続部３３、４３、５３の突出方向を、キートップ８の操作部８２の押圧方向とほぼ同一方向とし、操作部８２の押圧方向がプリント配線基板１０の基板面に対してほぼ平行な横置きタイプの２段動作プッシュスイッチに利用して、プリント配線基板１０への実装時に基板面からの高さを低くする構成としたが、本発明はこれに限るものでなく、操作部８２の押圧方向がプリント配線基板１０の基板面に対してほぼ垂直な縦置きタイプの２段動作プッシュスイッチについても利用することができる。
【００４１】
前記実施形態例では、キートップ８の操作部８２の垂直軸８８を垂直軸８６，８５間に形成し、操作部８２への１段目の押圧で第１タクト板６を反転させ、２段目への押圧で第２タクト板７を反転させる構成としたが、本発明はこれに限るものでなく、キートップ８の操作部８２を、その垂直軸８８が垂直軸８５，８７間に位置するように形成し、操作部８２への１段目の押圧で第２タクト板７を反転させ、２段目への押圧で第１タクト板６を反転させる構成とした場合についても利用することができる。
【００４２】
前記実施形態例では、　第１、第２タクト板６、７の荷重特性を等しくし、操作部８２の形成位置を、その垂直軸８８がキートップ８の中心の垂直軸８５からずらした位置とした場合について説明したが、本発明はこれに限るものでなく、第１、第２タクト板６、７の荷重特性を異ならせるとともに、操作部８２の形成位置を、その垂直軸８８がキートップ８の中心の垂直軸８５と一致する位置とした場合、又は、第１、第２タクト板６、７の荷重特性を異ならせるとともに、操作部８２の形成位置を、その垂直軸８８がキートップ８の中心の垂直軸８５からずらした位置とするとともに、押圧点Ｋ１，Ｋ２のそれぞれを支点としたキートップ８のモーメントのつり合い時における操作部８２への動作荷重をＰ３，Ｐ４としたときに、Ｐ３≠Ｐ４が成立する位置とした場合についても利用することができる。
【００４３】
つぎに、第２発明の一実施形態例を図１１を用いて説明する。
図１１において、１１０はプリント配線基板、１２０は本体ケース、１３０、１４０は第１、第２プッシュスイッチ、１５０はキ−トップである。
【００４４】
本体ケース１２０は、絶縁性の合成樹脂で一体に成形された上板１２１と側板１２２を具備し、この上板１２１と側板１２２によって上面を開口したほぼ直方体状のプッシュスイッチ収容凹部１２３が形成されている。
本体ケース１２０はプリント配線基板１１０の上面に固定され、上板１２１の一部にはプッシュスイッチ収容凹部１２３に連通するキートップ用孔１２４が形成されている。
【００４５】
プリント配線基板１１０のプッシュスイッチ収容凹部１２３に臨む上面には、第１、第２プッシュスイッチ１３０，１４０が固定され、この第１、第２プッシュスイッチ１３０，１４０の接続部は、プリント配線基板１１０の対応するランドに半田接続され、配線パターンと電気的に接続されている。
第１、第２プッシュスイッチ１３０，１４０は、対応する第１、第２スイッチ本体１３１，１４１及び第１、第２キートップ１３２，１４２を具備し、第１、第２スイッチ本体１３１，１４１内には対応する第１、第２タクト板１３３，１４３が設けられ、この第１、第２タクト板１３３，１４３は同一の荷重特性を有するように形成されている。
第１、第２プッシュスイッチ１３０，１４０は、第１、第２キートップ１３２，１４２を下方向へ押圧することによって、対応する第１、第２タクト板１３３，１４３が反転し、クリック感を起こしてスイッチオンとなるように形成されている。
【００４６】
キートップ１５０は、長方形板状の本体部１５１と、この本体部１５１の上面側に突設されたほぼ円柱状の操作部１５２と、本体部１５１の下面側に突設されたほぼ半球状の第１、第２押圧部１５３、１５４とを具備し、操作部１５２はキートップ用孔１２４から外部へ突出している。
本体部１５１の中心を通る本体部１５１の板面に垂直な軸を１５５、第１、第２押圧部１５３、１５４の　の中心を通る本体部１５１の板面に垂直な軸を１５６，１５７、操作部１５２の中心を通る本体部１５１の板面に垂直な軸を１５８とすると、垂直軸１５６，１５５間と垂直軸１５５，１５７間の間隔が等しく形成され、垂直軸１５８は垂直軸１５６，１５５間に位置するように形成されている。
【００４７】
つぎに、図１１の実施形態例の作用を説明する。
説明の便宜上、図１１（ｂ）に示すように、第１、第２タクト板１３３，１４３の動作荷重をＰ１、Ｐ２とし、垂直軸１５６，１５５間と垂直軸１５５，１５７間の間隔をＬ、垂直軸１５８、１５５間の間隔をＭ（Ｍ＜Ｌ）とし、第１押圧部１５３の第１プッシュスイッチ１３０への押圧点Ｋ１を支点としたときのモーメントのつり合い時における操作部１５２への動作荷重をＰ３としたときに、図１〜図１０の実施形態例と同様に前記（１）式が成立し、第２押圧部１５４の第２プッシュスイッチ１４０への押圧点Ｋ２を支点としたときのモーメントのつり合い時における操作部１５２の動作荷重をＰ４としたときに前記（２）式が成立する。
【００４８】
このために、図１〜図１０の実施形態例と同様に、キートップ１５０の操作部１５２を押圧すると、まず第１押圧部１５３が第１プッシュスイッチ１３０の第１キートップ１３２を押圧し、第１タクト板１３３を反転してクリック感を生じさせ、第１プッシュスイッチ１３０をスイッチオン状態とする。
ついで、キートップ１５０の操作部１５２をさらに押圧すると、第２押圧部１５４が第２プッシュスイッチ１４０の第２キートップ１４２を押圧し、第２タクト板１４３を反転してクリック感を生じさせ、第２プッシュスイッチ１４０をスイッチオン状態とする。
また、キートップ１５０の操作部１５２への押圧を解除すると、第１、第２タクト板１３３，１４３の自らの復元力で第１、第２キートップ１３２，１４２を介してキートップ１５０を押し上げ、図１１（ｂ）に示すような初期状態（すなわちスイッチオフ状態）に戻る。
【００４９】
図１１に示した例では、第１、第２スイッチ本体１３１，１４１の底面がプリント配線基板１１０の基板面に当接するように第１、第２プッシュスイッチ１３０，１４０をプリント配線基板１１０に固定し、キートップ１５０の操作部１５２への押圧方向がプリント配線基板１１０の基板面に対して垂直な縦置きタイプの２段動作プッシュスイッチに利用した場合について説明したが、本発明はこれに限るものでなく、図１２に示すように、第１、第２スイッチ本体１３１，１４１の側面がプリント配線基板１１０の基板面に当接するようにして第１、第２プッシュスイッチ１３０，１４０をプリント配線基板１１０に固定し、キートップ１５０の操作部１５２への押圧方向がプリント配線基板１１０の基板面に対して平行な横置きタイプの２段動作プッシュスイッチについても利用することができる。
図１２に示した例では、２段動作プッシュスイッチをプリント配線基板１１０に実装したときに基板面からの高さを低くすることができる。
なお、図１１，図１２では、説明の便宜上、本体ケース、第１、第２プッシュスイッチ、キ−トップ等を同一符号で表わしたが、実際には、図１２の横置きタイプは、図１１図の縦置きタイプを横置きタイプ用に変更した構成となる。
【００５０】
図１１，図１２の例では、操作部１５２の垂直軸１５８を垂直軸１５６，１５５間に形成し、操作部１５２への１段目の押圧で第１プッシュスイッチ１３０をスイッチオン状態とし、２段目の押圧で第２プッシュスイッチ１４０をスイッチオン状態とする構成としたが、本発明はこれに限るものでなく、キートップ１５０の操作部１５２をその垂直軸１５８が垂直軸１５５，１５７間に位置するように形成し、操作部１５２への１段目の押圧で第２プッシュスイッチ１４０をスイッチオン状態とし、２段目の押圧で第１プッシュスイッチ１３０をスイッチオン状態とする構成とした場合についても利用することができる。
【００５１】
図１１，図１２の例では、第１、第２プッシュスイッチ１３０，１４０の第１、第２タクト板１３３，１４３の荷重特性を等しく、操作部１５２の形成位置を、その垂直軸１５８がキートップ１５０の中心の垂直軸１５５からずらした位置とした場合について説明したが、本発明はこれに限るものでなく、第１、第２タクト板１３３，１４３の荷重特性を異ならせるとともに、操作部１５２の垂直軸１５８をキートップ１５０の中心の垂直軸１５５と一致する位置に形成した場合、又は、第１、第２タクト板１３３，１４３の荷重特性を異ならせるとともに、操作部１５２の垂直軸１５８をキートップ１５０の中心の垂直軸１５５からずらした位置とし、さらに、押圧点Ｋ１，Ｋ２のそれぞれを支点としたキートップ１５０のモーメントのつり合い時における操作部１５２の動作荷重をＰ３、Ｐ４としたときに、Ｐ３≠Ｐ４が成立する位置とした場合についても利用することができる。
【００５２】
【発明の効果】
請求項１に記載の発明は、２段階の接続動作に寄与するタクト板をタクト板収容凹部（１３）内に並列に配置された第１、第２タクト板（６）、（７）の２個で形成し、第１、第２タクト板（６）、（７）を中央部が膨出したドーム状に形成し、押圧点Ｋ１、Ｋ２を支点とするキートップ（８）のモーメントのつり合い時における操作部（８２）への動作荷重をＰ３、Ｐ４としたときに、Ｐ３≠Ｐ４が成立するキートップ（８）上の位置に操作部（８２）を形成し、操作部（８２）への１段目の押圧で第１、第２タクト板（６）、（７）の一方の中央部を反転させ、２段目の押圧で第１、第２タクト板（６）、（７）の他方の中央部も反転させる構成としたので、２段動作プッシュスイッチの長寿命化を図るとともに、１段目と２段目の荷重特性の自由度を大きくすることができ、さらにプリント配線基板（１０）への実装面積を小さくすることができる。例えば、第１、第２タクト板（６）、（７）のそれぞれの外径を２．３ｍｍとしたときに、図２での外形寸法で、縦（Ｗ）を２．９ｍｍ、横（Ｌ）を６．５ｍｍとすることができ、提案例（図２２で第２タクト板３７０の外径を２．３ｍｍとしたときに、縦が７．８ｍｍ、横が５．７ｍｍ）より小さくすることができる。
【００５３】
請求項２に記載の発明は、請求項１に記載の発明において、第１、第２タクト板（６）、（７）の荷重特性を等しくし、動作荷重Ｐ３，Ｐ４の力点を押圧点Ｋ１、Ｋ２間の中点に対応する位置からずらしたので、第１、第２タクト板（６）、（７）の構成を簡単にすることができる。
【００５４】
請求項３に記載の発明は、　請求項１に記載の発明において、第１、第２タクト板（６）、（７）の荷重特性を異ならせ、動作荷重Ｐ３，Ｐ４の力点を押圧点Ｋ１、Ｋ２間の中点に対応する位置としたので、操作部（８２）の形成位置を簡単に決めることができる。
【００５５】
請求項４に記載の発明は、　請求項１に記載の発明において、第１、第２タクト板（６）、（７）の荷重特性を異ならせ、動作荷重Ｐ３，Ｐ４の力点を押圧点Ｋ１、Ｋ２間の中点に対応する位置からずらしたので、２段動作プッシュスイッチの１段目と２段目の荷重特性（例えばクリック感）の自由度をより大きくすることができる。
【００５６】
請求項５に記載の発明は、　請求項１，２，３又は４に記載の発明において、第１、第２、第３端子（３）、（４）、（５）の接続部（３３）、（４３）、（５３）を、キートップ（８）の操作部（８２）の押圧方向とほぼ同一方向に向かってハウジング（１）から並列に突設させたので、キートップ（８）の操作部（８２）の押圧方向を基板面に対して平行な横置きタイプにしてハウジング（１）をプリント配線基板（１０）に実装することができ、基板面からの高さを低くすることができる。例えば、図２での高さ（Ｈ）を１．７ｍｍにすることができ、提案例（高さが１．８５ｍｍ）より低くすることができる。
【００５７】
請求項６に記載の発明は、請求項５に記載の発明において、ハウジング（１）が、プリント配線基板（１０）の切欠部（１０ａ）への実装時に、切欠部（１０ａ）の端縁近辺の基板面に当接するストッパ（２５）、（２５）を具備しているので、ハウジング（１）のプリント配線基板（１０）の端縁からの突出長さを小さくすることができるとともに、ハウジング（１）の切欠部（１０ａ）への実装を容易にすることができる。
【００５８】
請求項７に記載の発明は、第１、第２プッシュスイッチ（１３０）、（１４０）とキートップ（１５０）を具備し、第１、第２プッシュスイッチ（１３０）、（１４０）が第１、第２タクト板（１３３）、（１４３）を具備し、第１、第２タクト板（１３３）、（１４３）を中央部が膨出したドーム状に形成し、押圧点Ｋ１、Ｋ２を支点とするキートップ（１５０）のモーメントのつり合い時における操作部（１５２）への押圧荷重をＰ３、Ｐ４としたときに、Ｐ３≠Ｐ４が成立する位置に操作部（１５２）を形成し、操作部（１５２）への押圧に基づき、第１、第２タクト板（１３３）、（１４３）の一方の反転による１段目の接続と、これに続く第１、第２タクト板（１３３）、（１４３）の他方の反転による２段目の接続を行う構成としたので、２段動作プッシュスイッチの長寿命化を図るとともに、１段目と２段目の荷重特性の自由度を大きくすることができ、さらにプリント配線基板への実装面積を小さくすることができる。
【００５９】
請求項８に記載の発明は、請求項７に記載の発明において、第１、第２タクト板（１３３）、（１４３）の荷重特性を等しくし、動作荷重Ｐ３，Ｐ４の力点を押圧点Ｋ１、Ｋ２間の中点に対応する位置からずらしたので、第１、第２プッシュスイッチ（１３０）、（１４０）の構成を簡単にすることができる。
【００６０】
請求項９に記載の発明は、請求項７に記載の発明において、第１、第２タクト板（１３３）、（１４３）の荷重特性を異ならせ、動作荷重Ｐ３，Ｐ４の力点を押圧点Ｋ１、Ｋ２間の中点に対応する位置としたので、操作部（１５２）の形成位置を簡単に決めることができる。
【００６１】
請求項１０に記載の発明は、請求項７に記載の発明において、第１、第２タクト板（１３３）、（１４３）の荷重特性を異ならせ、動作荷重Ｐ３，Ｐ４の力点を押圧点Ｋ１、Ｋ２間の中点に対応する位置からずらしたので、１段目と２段目の荷重特性（例えばクリック感）の自由度をより大きくすることができる。
【００６２】
請求項１１に記載の発明は、請求項７、８、９又は１０に記載の発明において、対応する第１、第２キートップ（１３２）、（１４２）の押圧方向がプリント配線基板（１１０）の基板面と平行となるように、第１、第２プッシュスイッチ（１３０）、（１４０）をプリント配線基板（１１０）上に並列に実装可能としたので、キートップ（１５０）の操作部（１５２）の押圧方向を基板面に平行な横置きにして、第１、第２プッシュスイッチ（１３０）、（１４０）をプリント配線基板（１０）に実装することができ、基板面からの高さを小さくすることができる。
【図面の簡単な説明】
【図１】本第１発明による２段動作プッシュスイッチの一実施形態例を示す図２の断面図であって、（ａ）はＡ−Ａ線拡大断面図、（ｂ）はＢ−Ｂ線拡大断面図、（ｃ）はＣ−Ｃ線拡大断面図である。
【図２】本第１発明による２段動作プッシュスイッチの一実施形態例を示す平面図である。
【図３】図２の正面図である。
【図４】図２の右側面図である。
【図５】図１〜図４中のハウジング１を示す平面図である。
【図６】図５の正面図である。
【図７】図５の右側面図である。
【図８】図５の断面図であって、（ａ）はＡ−Ａ線断面図、（ｂ）はＢ−Ｂ線断面図、（ｃ）はＣ−Ｃ線断面図である。
【図９】図１〜図４中のキートップ８を示す図で、（ａ）は平面図、（ｂ）は正面図、（ｃ）は底面図、（ｄ）は（ａ）の右側面図、（ｅ）は（ａ）のＡ−Ａ線断面図である。
【図１０】図１〜図４中のカバー９を示す図で、（ａ）は平面図、（ｂ）は正面図、（ｃ）は（ａ）の右側面図である。
【図１１】本第２発明の一実施形態例を示す図で、（ａ）は要部の平面図、（ｂ）は（ａ）のＡ−Ａ線断面図である。
【図１２】本第２発明の他の実施形態例を示す図で、（ａ）は要部の平面図、（ｂ）は（ａ）のＡ−Ａ線断面図である。
【図１３】従来例を示す平面図である。
【図１４】図１３の正面図である。
【図１５】図１３の右側面図である。
【図１６】図１３のＡ−Ａ線断面図である。
【図１７】図１３のＢ−Ｂ線断面図である。
【図１８】図１３のＣ−Ｃ線断面図である。
【図１９】図１３〜図１８中のタクト板２４０を示す図で、（ａ）は平面図、（ｂ）は（ａ）のＡ−Ａ線断面図である。
【図２０】本出願人の即提案例を示す平面図である。
【図２１】図２０の正面図である。
【図２２】図２０の断面図で、（ａ）はＡ−Ａ線断面図、（ｂ）はＢ−Ｂ線断面図である。
【図２３】図２０〜図２２中のハウジング３００を示す平面図である。
【図２４】図２３の正面図である。
【図２５】図２０〜図２２中の第１タクト板３６０を示す平面図である。
【図２６】図２５のＡ−Ａ線断面図である。
【図２７】図２０〜図２５中の第１タクト板３６０を示す図で、（ａ）は図２５のＢ−Ｂ線断面図、（ｂ）は図２５のＣ−Ｃ線断面図、（ｃ）は（ｂ）のＤ−Ｄ線断面図である。
【符号の説明】
１…ハウジング、　１１…底板、　１２…側板、　１３…タクト板収容凹部、３…第１端子、　３１…第１端子３の接触部、　３３…第１端子３の接続部、　４…第２端子、　４１…第２端子４の接触部、　４３…第２端子４の接続部、　５…第３端子、　５１…第３端子５の接触部、　５３…第３端子５の接続部、　６…第１タクト板、　７…第２タクト板、　８…キートップ、　８２…キートップ８の操作部、　８３…キートップ８の第１押圧部、　８４…キートップ８の第２押圧部、　９…カバー、　１０…プリント配線基板、　１０ａ…プリント配線基板１０の切欠部、　１１０…プリント配線基板、　１３０…第１プッシュスイッチ、　１３２…第１キートップ、　１３３…第１タクト板、　１４０…第２プッシュスイッチ、　１４２…第２キートップ、　１４３…第２タクト板、
１５０…キートップ、　１５２…キートップ１５０操作部、　１５３…キートップ１５０の第１押圧部、　１５４…キートップ１５０の第２押圧部、　Ｋ１…第１押圧部８３（１５３）の第１タクト板６（第１キートップ１３２）への押圧点、Ｋ２…第２押圧部８４（１５４）の第２タクト板７（第２キートップ１４２）への押圧点、　Ｐ１…第１タクト板６（１３３）の動作荷重、　Ｐ２…第２タクト板７（１４３）の動作荷重、　Ｐ３…押圧点Ｋ１を支点としたときのモーメントのつり合い時における操作部８２（１５２）への動作荷重、　Ｐ４…押圧点Ｋ２を支点としたときのモーメントのつり合い時における操作部８２（１５２）への動作荷重。
【図１】
2004146095.tif 000003
【図２】
2004146095.tif 000004
【図３】
2004146095.tif 000005
【図４】
2004146095.tif 000006
【図５】
2004146095.tif 000007
【図６】
2004146095.tif 000008
【図７】
2004146095.tif 000009
【図８】
2004146095.tif 000010
【図９】
2004146095.tif 000011
【図１０】
2004146095.tif 000012
【図１１】
2004146095.tif 000013
【図１２】
2004146095.tif 000014
【図１３】
2004146095.tif 000015
【図１４】
2004146095.tif 000016
【図１５】
2004146095.tif 000017
【図１６】
2004146095.tif 000018
【図１７】
2004146095.tif 000019
【図１８】
2004146095.tif 000020
【図１９】
2004146095.tif 000021
【図２０】
2004146095.tif 000022
【図２１】
2004146095.tif 000023
【図２２】
2004146095.tif 000024
【図２３】
2004146095.tif 000025
【図２４】
2004146095.tif 000026
【図２５】
2004146095.tif 000027
【図２６】
2004146095.tif 000028
【図２７】
2004146095.tif 000029